(57)【要約】【課題】屋外用照明器具において、発光パネルの照射面側に降雪したとしても、確実に融雪することができるようにする。【解決手段】屋外用照明器具１は、器具本体２内に収納された発光ユニット３からの光を、光透過パネル５を通して外部に照射するものであって、光透過パネル５に薄板状の透明ヒータ６を配設した。これにより、光透過パネル５上に降雪したとしても、透明ヒータ６の発熱により融雪される。【選択図】図１
2006269236.tif 000002
【特許請求の範囲】
【請求項１】
器具本体内に収納された発光ユニットからの光を、光透過パネルを通して外部に照射する屋外用照明器具において、
上記光透過パネルに透明ヒータを配設したことを特徴とする屋外用照明器具。
【請求項２】
器具本体に対する、上記発光ユニットの固定部材と、上記透明ヒータを配設した光透過パネルの固定部材とを別々に設けたことを特徴とする請求項１に記載の屋外用照明器具。
【請求項３】
上記透明ヒータはその一面側に導電膜を有し、この導電膜側を上記発光ユニットに対向させたことを特徴とする請求項１叉は請求項２に記載の屋外用照明器具。
【発明の詳細な説明】
【技術分野】
【０００１】
本発明は、屋外用照明器具に関し、具体的には、融雪対策を施した屋外用照明器具に関する。
【背景技術】
【０００２】
従来から、屋外用照明器具において、寒冷積雪地向けとして耐雪構造を有したものがあり、例えば、点灯装置の熱を器具本体に熱伝導させ、器具本体に付着した雪を融雪するものがある。また、器具本体の下隅部分に雨水や雪などが垂れ落ちる水垂れ部分を有したものにおいて、この水垂れ部分を加熱する発熱部材を設け、水垂れ部分から垂れた水が冷却されて、氷柱ができてしまうことを防止するものが知られている（例えば、特許文献１参照）。
【特許文献１】特開２００２−１５０８０７号公報
【発明の開示】
【発明が解決しようとする課題】
【０００３】
しかしながら、このような屋外用照明器具においては、器具本体の外郭に雪が積もってしまうと、十分には融雪できない。また、器具本体内に収納された発光パネルの光を外部へ照射する器具が、路面や家屋の外壁面に取り付けられて、上斜め方向を照射するような使われ方の場合に、発光パネルの照射面側にある透光部材上に積雪し、雪が照明光を遮るってしまうといった問題があった。また、融雪のためにヒータを用いると、一般にヒータは遮光性の金属で形成されており、この金属により光源からの光が不必要な方向に反射される。
【０００４】
本発明は、上記のような問題を解消するものであり、発光パネルの照射面側に降雪したとしても、確実に融雪することができて照明効果に影響がなく、また、ヒータによる不必要な方向への光反射のない屋外用照明器具を提供することを目的とする。
【課題を解決するための手段】
【０００５】
上記目的を達成するために本発明は、器具本体内に収納された発光ユニットからの光を、光透過パネルを通して外部に照射する屋外用照明器具において、上記光透過パネルに透明ヒータを配設したものである。
また、器具本体に対する、上記発光ユニットの固定部材と、上記透明ヒータを配設した光透過パネルの固定部材とを別々に設けることが望ましい。
また、上記透明ヒータはその一面側に導電膜を有し、この導電膜側を上記発光ユニットに対向させたものとすることが望ましい。
【発明の効果】
【０００６】
本発明によれば、光透過パネル上に降雪したとしても、同パネルに配設されている透明ヒータの発熱により融雪されるので、照明効果に何ら影響がない。また、従来のようにヒータにより不必要な方向へ光反射するといったことがなくなる。
また、発光ユニットの固定部材と光透過パネルの固定部材とが別々にあれば、透明ヒータの交換が容易となる。
また、透明ヒータの導電膜側を発光ユニットに対向させることで、該ヒータの熱が発光ユニットに影響を与えることは抑制される。
【発明を実施するための最良の形態】
【０００７】
以下、本発明の一実施形態に係る屋外用照明器具について図面を参照して説明する。図１は本実施形態の屋外用照明器具の正面側を、図２は同器具の側断面を、図３は同器具の光照射面を示す。この屋外用照明器具１は、家屋の外壁などに取り付けられて斜め上方壁面を照明する用途に作製されたものであり、器具本体２と、この内部に収納された複数のＬＥＤ３ａを有する発光ユニット３と、この発光ユニット３による出射光を外部へ照射するための開口部４ａに固定された光透過パネル５と、この光透過パネル５に配設された薄板状の透明ヒータ６とを備える。
【０００８】
器具本体２は、上面が光出射用に開口した箱体形状を有し、アーム８及び補助取り付け板９を用いて壁などに取り付けられる。器具本体２の上面開口端には、光出射用の開口部４ａを持つ枠部材４がボルト４ｃでもって固定され、この枠部材４の開口部４ａには、パネル固定金具４ｂでもって光透過パネル５が取り付けられる。枠部材４及びパネル固定金具４ｂは光透過パネル５の固定部材となる。光透過パネル５は、透明強化ガラスから成り、その裏面つまり発光ユニット３に対向する面に透明ヒータ６が固着され、かつパネル固定金具４ｂにネジ止めされるヒータ押え金具４ｄで保持されている。透明ヒータ６はその一面側に導電膜６ａを有し、この導電膜６ａ側を発光ユニット３に対向させたものとしている。
【０００９】
発光ユニット３は、基板上に搭載された複数のＬＥＤ３ａと、各ＬＥＤに対応して設けられた反射鏡３ｂと、ＬＥＤ３ａの光出射面側に配置された透明アクリル板に形成されたレンズ３ｃとを備え、器具本体２の内底面にユニット固定金具２ｂを介して固定される。このように、発光ユニット３及び透明ヒータ６付きの光透過パネル５は、それぞれ別個のユニット固定金具２ｂ及びパネル固定金具４ｂでもって器具本体２に固定されているので、容易に個々の交換取替えを行える。
【００１０】
透明ヒータ６の口出し線６ｂは、ユニット固定金具２ｂに取付けられたリード線押え具２ｃにより保持され、器具本体２の背面側に設けられたヒータ電源用ケーブルグランド１０を通って導入されるヒータ用電源ケーブル１２に接続される。ヒータ用電源ケーブル１２には、図示しない電源装置からヒータ電源が供給される。ヒータ送り用ケーブルグランド１１は、同等の屋外用照明器具が連設される場合に、隣の器具のヒータにヒータ電源を並列的に供給するためのヒータ用電源ケーブル１２を挿通するものである。
【００１１】
透明ヒータ６は、電熱抵抗線を有していない厚さ１００μｍ程度の薄いフィルムヒータである。このヒータの抵抗値は、略２００Ωであり、ＡＣ又はＤＣ４８Ｖを印加して２０℃乃至３０℃となる。また、ヒータ電源の供給回路には、サーモスイッチ等を組み込んで、器具内の温度が高くなりすぎないように制御することが好ましい。また、器具が使用される外気温に応じて、ヒータ通電をオン／オフできるようにする。
【００１２】
発光ユニット３のＬＥＤ３ａには、同じく器具本体２の背面側に設けられた照明用ケーブルグランド１３を通って導入される照明用電源ケーブル１４でもって電源が供給される。複数のＬＥＤ３ａには、赤・緑・青の３色をそれぞれ出射するものを用いて、混色とすればよい。
【００１３】
また、器具本体２は、アーム８に角度調整用ボルト１５により固定され、アーム８に対してこのボルト１５を軸として回動可能であり、これにより、図２に仮想線で示すように、任意の角度で壁などに対して取り付け可能とされている。固定用ボルト１６は器具本体２と側面補強板とを固定するものである。器具本体２は、図２に示されるように、対向する２枚の板から成る補助取り付け板９でもってグレイチング１８を挟み込み、器具取付用ボルト１７で締め付け固定される。また、枠部材４は、着脱自在であるので、落下防止ワイヤー１９により器具本体２側に連結され、落下防止を図っている。また、この屋外用照明器具１は、防雨構造とされるともに、器具本体２の下面に水抜き穴２０が設けられている。
【００１４】
上記のように構成された屋外用照明器具１においては、器具本体２を光透過パネル５の面を上向きにして使用され、発光ユニット３のＬＥＤ３ａ点灯により、光透過パネル５を通して光が照射される。ここに、降雪があったとき、光透過パネル５上に積雪しようとするが、透明ヒータ６へ通電することにより、その発熱でもって光透過パネル５が昇温する。このため、光透過パネル５上の雪は融けて、照明に影響が出ることが防止される。また、透明ヒータ６の一面側にある導電膜６ａ側を発光ユニット３に対向させているので、ヒータの熱が発光ユニット３のＬＥＤ３ａに伝わることを低減でき、ＬＥＤ３ａに悪影響を及ぼすことが抑制される。また、ヒータによって光が不必要な方向へ反射されるといったこともなくなる。
【００１５】
なお、本発明は、上記実施形態の構成に限られず、発明の趣旨を変形しない範囲で種々の変形が可能である。例えば、発光ユニット３の発光源は、ＬＥＤに限られず、例えば、電球や蛍光灯であってもよい。また、透明ヒータ６は、どのような形態のものであってもかまわない。
【図面の簡単な説明】
【００１６】
【図１】本発明の一実施形態に係る屋外用照明器具の正面側面図。
【図２】同器具の側断面図。
【図３】同器具の光照射面を示す上面図。
【符号の説明】
【００１７】
１  屋外用照明器具
２  器具本体
２ｂ  ユニット固定金具（固定部材）
３  発光ユニット
３ａ  ＬＥＤ
４ｂ  パネル固定金具（固定部材）
５  光透過パネル
６  透明ヒータ
６ａ  導電膜
【図１】
2006269236.tif 000003
【図２】
2006269236.tif 000004
【図３】
2006269236.tif 000005